(57)【特許請求の範囲】
【請求項１】
内部に第１空間部を有する天板部と、
前記第１空間部と連通する第２空間部を有する脚部と、
を備えた机であって、
前記第１空間部及び前記第２空間部は、水密空間として構成されている机。
【請求項２】
請求項１に記載の机において、
前記水密空間に連通する部位に設けられ、外部から液体の注入と、外部への液体の排出との少なくとも一方を可能とする開閉可能な開口部を有すること、
を特徴とする机。
【請求項３】
請求項１又は請求項２に記載の机において、
前記第１空間部及び前記第２空間部の少なくとも一方の内部に注入された液体の状態を検出するセンサを有すること、
を特徴とする机。
【請求項４】
請求項１から請求項３までのいずれかに記載の机において、
前記第１空間部及び前記第２空間部の少なくとも一方の内部に注入された液体の量を確認可能な液量表示部を有すること、
を特徴とする机。
【請求項５】
請求項１から請求項４までのいずれかに記載の机において、
前記第１空間部及び前記第２空間部と連通する第３空間部を有する空間追加構造部を有すること、
を特徴とする机。
【請求項６】
請求項５に記載の机において、
前記空間追加構造部は、幕板、側板、貫の少なくともひとつであること、
を特徴とする机。
【請求項７】
請求項５又は請求項６に記載の机において、
前記空間追加構造部は、前記第１空間部及び前記第２空間部の少なくとも一部を部分的に張り出して構成されていること、
を特徴とする机。
【請求項８】
請求項１から請求項７までのいずれかに記載の机において、
前記水密空間の内壁は、耐食性を有すること、
を特徴とする机。
【請求項９】
請求項１から請求項８までのいずれかに記載の机において、
内部に貯蔵されている水を利用した発電部を備えること、
を特徴とする机。
【発明の詳細な説明】
【技術分野】
【０００１】
本発明は、水等の液体を貯蔵可能な机に関するものである。
【背景技術】
【０００２】
防火用や防災用に水を貯水する場合には、例えば特許文献１のような貯水槽が用いられている。また、飲料水を貯蔵するためには、ペットボトル入りの飲料水等を倉庫等に保管することが行われている。
【０００３】
このような従来の貯水の形態では、専用の場所を確保する必要があることから、設置や保管が不可能な場合も多かった。また、大震災発生時等には、貯水槽の設置されている場所へのアクセスが可能である保証もなく、緊急で消火を行いたい場合に、役に立たないおそれもあった。
【先行技術文献】
【特許文献】
【０００４】
【特許文献１】特開２０１７−１７２２７号公報
【発明の概要】
【発明が解決しようとする課題】
【０００５】
本発明の課題は、通常の机として利用可能であって、かつ、内部に液体を貯蔵可能な机を提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
【０００７】
第１の発明は、
内部に第１空間部（１１）を有する天板部（１０）と、前記第１空間部（１１）と連通する第２空間部（２１）を有する脚部（２０）と、を備えた机（１）であって、前記第１空間部（１１）及び前記第２空間部（２１）は、水密空間として構成されている机（１）である。
【０００８】
第２の発明は、請求項１に記載の机（１）において、前記水密空間に連通する部位に設けられ、外部から液体の注入と、外部への液体の排出との少なくとも一方を可能とする開閉可能な開口部（１２、２２、３２）を有すること、を特徴とする机（１）である。
【０００９】
第３の発明は、請求項１又は請求項２に記載の机（１）において、前記第１空間部（１１）及び前記第２空間部（２１）の少なくとも一方の内部に注入された液体の状態を検出するセンサを有すること、を特徴とする机（１）である。
【００１０】
第４の発明は、請求項１から請求項３までのいずれかに記載の机（１）において、前記第１空間部（１１）及び前記第２空間部（２１）の少なくとも一方の内部に注入された液体の量を確認可能な液量表示部（８３）を有すること、を特徴とする机（１）である。
【００１１】
第５の発明は、請求項１から請求項４までのいずれかに記載の机（１）において、前記第１空間部（１１）及び前記第２空間部（２１）と連通する第３空間部（３１）を有する空間追加構造部（３０）を有すること、を特徴とする机（１）である。
【００１２】
第６の発明は、請求項５に記載の机（１）において、前記空間追加構造部は、幕板、側板、貫の少なくともひとつであること、を特徴とする机（１）である。
【００１３】
第７の発明は、請求項５又は請求項６に記載の机（１）において、前記空間追加構造部（３０）は、前記第１空間部（１１）及び前記第２空間部（２１）の少なくとも一部を部分的に張り出して構成されていること、を特徴とする机（１）である。
【００１４】
第８の発明は、請求項１から請求項７までのいずれかに記載の机（１）において、前記水密空間の内壁は、耐食性を有すること、を特徴とする机（１）である。
【００１５】
第９の発明は、請求項１から請求項８までのいずれかに記載の机（１）において、内部に貯蔵されている水を利用した発電部を備えること、を特徴とする机（１）である。
【発明の効果】
【００１６】
本発明によれば、通常の机として利用可能であって、かつ、内部に液体を貯蔵可能な机を提供することができる。
【図面の簡単な説明】
【００１７】
【図１】本発明による机１の第１実施形態を示す図である。
【図２】机１を図１中の矢印Ａ−Ａの位置で切断した断面図である。
【発明を実施するための形態】
【００１８】
以下、本発明を実施するための最良の形態について図面等を参照して説明する。
【００１９】
（実施形態）
図１は、本発明による机１の第１実施形態を示す図である。
図２は、机１を図１中の矢印Ａ−Ａの位置で切断した断面図である。
なお、図１を含め、以下に示す各図は、模式的に示した図であり、各部の大きさ、形状は、理解を容易にするために、適宜誇張して示している。
また、以下の説明では、具体的な数値、形状、材料等を示して説明を行うが、これらは、適宜変更することができる。
【００２０】
本実施形態の机１は、天板部１０と、脚部２０と、張り出し部３０とを備えている。
なお、本発明において、机とは、天板部と、天板部を支える脚部とを備えており、机、又は、テーブルのように利用できる形態のものであればよい。したがって、図１に示すような机の形態に限らず、テーブル、座卓であってもよいし、その大きさの大小も含め、具体的な机の形態、利用形態は、どのようなものであってもよく、実質的に机やデスクとして用いることができる机状の物品を指すものである。
【００２１】
天板部１０は、上面が平面状に構成されており、その内部には、天板内空間部１１（第１空間部）が形成されている。
【００２２】
脚部２０は、天板部１０から下方へ延在して４本設けられており、机１を支える。脚部２０の内部には、脚内空間部２１（第２空間部）が形成されている。脚内空間部２１は、天板内空間部１１と連通している。ここで、連通とは、連なって通じていることを意味しており、内部に流体が満たされていれば、その流体が流通できるように繋がっていることを意味している。
また、脚部２０は、図示した例では、例えば、接着や溶接等によって、天板部１０と一体となるように接続されている例を示した。これに限らず、例えば、脚部２０を着脱可能な構成としてもよい。その場合には、例えば、後述する蓋１３の部分の構造と同様にＯリング等によって水密構造を確保することは言うまでもない。また、接続構造は、その他従来公知の構造を適宜利用可能である。脚部２０を着脱可能な構成とすることにより、長さの異なる複数種類の脚部２０を適宜交換することが可能であり、利用者の身長や好みに応じて簡単に天板部１０の高さを変更することができる。
また、言うまでもないが、脚部２０の形状は、図示した四角柱形状（四角筒形状）に限らず、円柱形状（円筒形状）、楕円柱形状（楕円筒形状）、その他多角形形状（多角筒形状）であってもよく、どのような形状であってもよい。
【００２３】
張り出し部３０は、天板部１０の下面側の一部が下方に張り出して構成されている。張り出し部３０の内部には、張り出し内空間部３１（第３空間部）が設けられている。張り出し内空間部３１は、天板内空間部１１と連通している。この張り出し部３０は、張り出し内空間部（第３空間部）を追加するための空間追加構造部となっている。
また、脚部２０の下端部には、車輪４０が設けられている。
【００２４】
よって、天板内空間部１１と、脚内空間部２１と、張り出し内空間部３１とは、すべて連通しており、これらの空間はすべて水密空間として構成されている。ここで、水密とは、水のみを対象とするものではなく、圧力が加わった環境下において、天板内空間部１１と、脚内空間部２１と、張り出し内空間部３１とにより構成された空間（以下、机内空間部とも呼ぶ）内に密閉した液体が外部に洩れないことを意味している。なお、ここでの水密を維持できる限界圧力は、机１の使用環境に応じて適宜設定するとよい。
本実施形態では、机内空間部には、水が満たされている。
【００２５】
天板内空間部１１と、脚内空間部２１と、張り出し内空間部３１とは、例えば、アクリル樹脂等の樹脂素材により形成されており、接着剤によって接合されている。なお、机１を構成する素材としては、アクリル樹脂に限らず、各種強化プラスチック等、その他の樹脂素材により構成されていてもよいし、銅、鉄、ステンレススチール、アルミニウム等の金属材料により構成して、それぞれを溶接等により接合してもよい。
また、机１は、接着や溶接による接合に限らず、従来から公知の水密性を担保できる他の接合方法によって接合されていてもよい。
さらに、机内空間部の内壁は、内部に貯蔵される液体に対する耐食性を備えることが望ましい。
【００２６】
天板部１０の上面には、上部開口部１２が設けられており、蓋１３を着脱することにより開閉自在となっている。この上部開口部１２から、水の注入を行うことができる。
脚部２０の下端には、下部開口部２２が設けられており、蓋２３を着脱することにより開閉自在となっている。この下部開口部２２から、水の排出、取り出しを行うことができる。下部開口部２２は、複数に分かれている脚部２０のそれぞれの先端に設けている。
張り出し部３０には、この部分にたまる水を排出できるように、追加開口部３２が設けられており、蓋３３を着脱することにより開閉自在となっている。この追加開口部３２から、張り出し部３０内の水の排出、取り出しを行うことができる。
蓋１３、蓋２３、蓋３３には、Ｏリング７０が設けられており、水の漏れを防ぎ、気密性及び水密性を確保している。なお、本実施形態では、Ｏリングを例示したが、気密性及び水密性を確保する手段としては、従来公知の技術を適宜利用可能である。例えば、ゴムパッキン、シリコンパッキン、ガスケットパッキン、平ワッシャー、スプリングワッシャー等、自動車や機械系パーツの液体流動部分等に用いられる、漏れ止めや気密性に有効的な素材等を適宜利用可能である。
なお、図２中には、蓋１３の部分を拡大して例示したが、蓋２３や蓋３３のＯリング７０についても同様な構成となっている。
【００２７】
また、本実施形態の机１は、内部に不図示の発電部を備えている。この発電部は、机１が貯蔵している水を用いて発電を行う。より具体的には、発電部は、例えば、特開２０１５−０４６３１２号公報に開示されているマグネシウム電池と呼ばれている構成によって発電を行う。
机１は、その内部に、上部開口部１２から挿入されるマグネシウム棒（金属マグネシウム又はマグネシウム合金）を設置可能な構成を含む発電部を備えている。そして、発電が必要な場合には、マグネシウム棒を上部開口部１２から挿入してセットし、さらに、上部開口部１２から食塩を投入する。これにより、机１の発電部は、マグネシウム棒を負極として発電を行う。
【００２８】
本実施形態の机１は、上記発電部によって発電される電力を利用するために、コンセント８１と、ＵＳＢ給電端子８２とを備えている。
コンセント８１は、発電部が発電した電力を用いて、不図示のインバータを介してＡＣ１００Ｖの電力を出力する出力端子である。
ＵＳＢ給電端子８２は、発電部が発電した電力を用いて、ＤＣ５Ｖの電力を出力する出力端子である。
【００２９】
また、本実施形態の机１は、液量確認窓（液量表示部）８３を複数個所に備えている。液量確認窓８３は、それぞれ、机１の各部に設けられ、内部に満たされた液体（水）の確認が可能な透明な窓である。液量確認窓８３には、液量に相当する目盛りを設けてもよい。
また、特に図示しないが、本実施形態の机１は、温度計、圧力計、電圧計、電流計、水質センサ等の各種センサと、これらセンサによって得られる情報を表示する表示部等をさらに備える構成としてもよい。
また、本実施形態の机１は、上述の発電部によって発電される電力を利用するその他の構成を適宜備えることができる。例えば、ライトを設けてもよいし、緊急時に遭難信号を発信する遭難信号発信装置を備えてもよい。これらを備えることにより、大規模災害時等の停電時において、机１をさらに有効に活用することができる。
【００３０】
以上説明したように、本実施形態では、天板内空間部１１と、脚内空間部２１と、張り出し内空間部３１とからなる机内空間部を設け、水密空間としてこれを形成したので、内部に水を満たして、これを貯蔵（貯水）することができる。よって、通常は机として使うことができ、かつ、必要な時には、内部の水を利用することができる。水の利用用途は、必要に応じて適宜選択すればよい。例えば、災害時の消火用水として用いてもよいし、生活用水や、飲料水として用いてもよい。なお、飲料水として利用する場合には、定期的に内部の水を交換することが望ましく、また、煮沸したり、７０℃以上に加熱したりすることによって、さらに安全に飲用水として利用可能である。また、災害時の消火用水として用いる場合には、例えば、電子回路等からの発火の恐れがある場所や、化学実験室等、火災の発生が予見される場所で本実施形態の机１利用することにより、緊急時にすぐに利用可能であり、有用である。
【００３１】
また、本実施形態の机１は、張り出し内空間部３１を、第３空間部として利用可能とする張り出し部３０を空間追加構造部として備えるので、より多くの水を貯水可能な机とすることができる。
【００３２】
また、本実施形態の机１は、内部に発電部を備えるので、内部に貯蔵している水を利用して、非常時に発電を行うことができる。内部に貯蔵している水の他に発電に必要なマグネシウム棒及び塩については、別途保管するとよい。
また、発電を行うと、水酸化マグネシウム等の残留物が机１の内部に残留することになるが、これは、例えば、上部開口部１２及び下部開口部２２に高圧水源を接続して、高圧の水を圧送する等して除去することができる。この際、圧力計を有効に利用可能である。
【００３３】
このように、本実施形態の机は、内部に貯蔵されている水を利用した発電部を備えるので、非常時において、内部に貯蔵されている水の利用価値をさらに高めることができる。そして、机１は、貯蔵された水を生活用水や飲料水として利用してもよいし、発電用に利用してもよい。したがって、机１は、被災時の状況によって自由度の高い利用が可能であり、被災時に非常に有効な防災機器として機能することができる。
【００３４】
（変形形態）
以上説明した実施形態に限定されることなく、種々の変形や変更が可能であって、それらも本発明の範囲内である。
【００３５】
（１）実施形態において、机１は、その内部に水を貯水する例を挙げて説明した。これに限らず、例えば、机の内部には、灯油等の燃料を貯蔵するようにしてもよいし、その他、必要に応じて貯蔵する液体を変更可能である。
【００３６】
（２）各実施形態において、発電部で発電された電力を外部へ出力する形態として、コンセントと、ＵＳＢ給電端子とを設けている例を挙げて説明した。これに限らず、例えば、電力出力用の端子の形態は、所謂ジャック形態等、従来公知の他の形態の電源コネクタの端子形状となっていてもよい。
【００３７】
（３）実施形態において、張り出し部３０を天板部１０の下面側に設けて空間追加構造部とした例を説明した。これに限らず、例えば、脚部２０の一部を張り出して空間追加構造部としてもよい。また、幕板、側板、貫等をさらに設けてその内部を第３空間部とすることにより空間追加構造部としての機能を持たせてもよい。さらに、天板部と平行な棚部を天板部の下方に設け、この棚部の内部を第３空間として空間追加構造部を構成してもよい。さらにまた、天板部の下方に引き出しを備える場合には、引き出しを囲む部位の内部を第３空間として空間追加構造部を構成してもよい。
【００３８】
（４）実施形態において、張り出し部３０を空間追加構造部として備える構成を例示した。これに限らず、例えば、空間追加構造部を備えず、天板部と脚部のみの簡素な構造としてもよい。また、発電部も必須ではなく、単に液体を貯蔵可能な単機能の構成としてもよい。
【００３９】
なお、実施形態及び変形形態は、適宜組み合わせて用いることもできるが、詳細な説明は省略する。また、本発明は以上説明した各実施形態によって限定されることはない。
【符号の説明】
【００４０】
１    机
１０  天板部
１１  天板内空間部
１２  上部開口部
１３  蓋
２０  脚部
２１  脚内空間部
２２  下部開口部
２３  蓋
３０  張り出し部
３１  張り出し内空間部
３２  追加開口部
３３  蓋
４０  車輪
７０  Ｏリング
８１  コンセント
８２  給電端子
８３  液量確認窓
【要約】
【課題】通常の机として利用可能であって、かつ、内部に液体を貯蔵可能な机を提供する。
【解決手段】机１は、内部に第１空間部を有する天板部１０と、第１空間部と連通する第２空間部を有する脚部２０と、を備えた机１であって、第１空間部及び第２空間部は、水密空間として構成されている。この構成によって、机１は、通常の机として利用可能であって、かつ、内部に液体を貯蔵可能であり、例えば、水を貯蔵しておくことにより、災害時に有効に利用することができる。
【選択図】図１【図１】
0006653042.tif 000002
【図２】
0006653042.tif 000003